(57)【要約】  【課題】ＦＢＧファイバを用いて、物体上の温度と歪の連続的な分布を分離して同時に得ること。  【解決手段】本発明は、擬似ランダム符号で変調された出射光を、ＦＢＧファイバに送出する光源部と、FBGファイバから入射する応答光を、透過波形と反射波形とに分離する傾斜フィルタとダミーファイバとからなる光分離手段と、光分離手段にて分離した透過波形と反射波形を電気信号に変換する変換手段と、擬似ランダム符号と前記応答光との相関処理により、温度分布計測情報乃至歪分布計測情報を出力する解析手段とを備えたインタロゲータを用いた温度及び歪分布計測システムであって、ＦＢＧセンサは、全長に亘って一定ピッチのFBGが連続的、もしくは、所要の距離分解能を得るに十分な間隔で断続的に形成されたロングゲージFBGファイバとし、ダミーファイバの長さLdは、ロングゲージFBGファイバの長さLの2倍以上の長さに設定され、ＦＢＧセンサに沿った温度及び歪分布を計測するように構成されている。【選択図】      図１
2013072701.tif 000002
【特許請求の範囲】
【請求項１】
擬似ランダム符号で変調された出射光を、ＦＢＧファイバに送出する光源部と、
FBGファイバから入射する応答光を、透過波形と反射波形とに分離する傾斜フィルタとダミーファイバとからなる光分離手段と、
光分離手段にて分離した透過波形と反射波形を電気信号に変換する変換手段と、
前記擬似ランダム符号と前記応答光との相関処理により、温度分布計測情報及び歪分布計測情報を出力する解析手段と
を備えたインタロゲータを用いた温度及び歪分布計測システムであって、
前記ＦＢＧセンサは、
全長に亘って一定ピッチのFBGが連続的、もしくは、所要の距離分解能を得るに十分な間隔で断続的に形成されたロングゲージFBGファイバとし、
前記ダミーファイバの長さLdは、前記ロングゲージFBGファイバの長さLの2倍以上の長さに設定され、
前記ＦＢＧセンサに沿った温度乃至歪分布を計測するように構成されたことを特徴とする温度及び歪分布計測システム。
【請求項２】
前記ロングゲージFBGファイバは、
温度及び歪分布を計測すべき被測定物体の外部もしくは内部に沿って往路と復路に折り返して配置され、
往路もしくは復路の何れか一方は前記被測定物体に固定され、
他方は、前記一方と温度条件が等しく、かつ被測定物体の歪の影響を受けない状態で配置され、
前記インタロゲータの反射波形解析により、前記ロングゲージFBGファイバ上の温度分布と歪分布を同時に分離計測するように構成した請求項１に記載の温度及び歪分布計測システム。
【請求項３】
前記インタロゲータのファイバ接続端子に２分岐カプラを設け、
前記２分岐カプラの一方の分岐端に長さLなる第１のロングゲージFBGファイバを接続し、
一方の分岐端には長さL以上の第２のダミーファイバを介して長さLなる第２のロングゲージFBGファイバを接続し、
前記ダミーファイバの全長は、前記第２のダミーファイバと前記第２のロングゲージFBGファイバの合計の長さの２倍以上とし、
第１もしくは第２のロングゲージFBGファイバの何れか一方を前記被測定物体に固定し、
他方のロングゲージFBGファイバを、前記一方のロングゲージFBGファイバと温度条件が等しく、かつ被測定物体の歪の影響を受けない状態で配置し、
前記インタロゲータの反射波形解析により、第１と第２の両ロングゲージFBGファイバ上の温度分布と歪分布を同時に分離計測するように構成した請求項１に記載の温度及び歪分布計測システム。
【請求項４】
前記解析手段は、
前記擬似ランダム符号と前記応答光との相関処理により、固定されていない側の前記ロングゲージFBGファイバ上の温度分布計測情報と、固定されている側の前記ロングゲージFBGファイバ上の歪分布計測情報とを同時に分離して出力し、
前記固定されていない部分のロングゲージFBGファイバの応答光から得られる温度分布計測情報に基づいて、前記固定されている部分のロングゲージFBGファイバの応答光から得られる温度分布と歪分布とが複合した計測情報を補正することによって、温度分布による影響を排除した歪分布計測情報を出力することを特徴とする請求項２または３の何れか１項に記載の温度及び歪分布計測システム。
【発明の詳細な説明】
【技術分野】
【０００１】
本発明は、疑似ランダム符号を用いたインタロゲータとFBGセンサを用いることにより、被測定対象物の歪の分布と温度の分布を同時に計測可能なシステムに関するものである。
【背景技術】
【０００２】
ＦＢＧセンサやＢＯＦセンサ等を用いて温度や歪等をはじめ種々の物理量の変化を観測することの可能な計測システムが、本願発明者の一部等によって既に提案されている。（特許文献１、２参照。）
【先行技術文献】
【特許文献】
【０００３】
【特許文献１】ＰＣＴ／ＪＰ２００９／６４５８２
【特許文献２】特許第４３０８８６８号
【０００４】
光ファイバによるセンシングは、センサ部に給電不要かつ電磁誘導障害フリーな遠隔計測が可能なことから、多くの分野で用いられている。
光ファイバセンサとしてもっとも普及しているのはFBG(Fiber Bragg Grating:ブラッグ回折格子)である。ファイバコアの長手方向数mm乃至10mmに亘り紫外線照射によって、微小な屈折率の周期構造を形成したセンサデバイスで、ブラッグ波長と呼ばれる特定の波長成分のみを反射する。ブラッグ波長はFBGの温度及び伸縮歪に依存するので、反射スペクトルの変化から温度や歪が検出できるわけである。
FBGセンサ毎の反射スペクトルシフトの検出は、シフト波長帯の異なる複数のFBGを直列に配置したときの、反射光を波長解析によって行なうのが一般的である。
しかし、FBGセンサを用いる方式では、センサ部の定点観測しかできないため、どこで異常が起こるか分からないところでの、温度や歪の異常診断や異常点検知には不向きである。
これに応えるため、従来、FBGなどの光センサを用いず、ファイバ上の温度や歪の連続分布を求めるものとして、ラマンOTDRやブリリュアンOTDRと呼ばれる方式がある。これはファイバの非線形効果によって惹き起されるラマン後方散乱あるいはブリリュアン後方散乱の特性を解析するものである。
【発明の概要】
【発明が解決しようとする課題】
【０００５】
物体上の連続的な温度分布はラマンOTDRで、また、連続的な歪分布はブリリュアンOTDRで求めるのが現状、現実的な方法であるが、ブリリュアンOTDRは、温度補償が非常に困難であることが、大きな制約になっている。
一方、市場では、近年、温度と歪両方の分布を同時に計測ないしモニタする需要が多くなってきたが、これが応える実用的な方式はいまだ提案されていない。
従って、本発明の目的は、物体上の温度と歪の連続的な分布を分離して同時に得る手段を提供することである。
【課題を解決するための手段】
【０００６】
本発明では、上記課題を解決するために以下のような手段を講じた。
請求項１の発明は、
擬似ランダム符号で変調された出射光を、ＦＢＧファイバに送出する光源部と、
FBGファイバから入射する応答光を、透過波形と反射波形とに分離する傾斜フィルタとダミーファイバとからなる光分離手段と、
光分離手段にて分離した透過波形と反射波形を電気信号に変換する変換手段と、
前記擬似ランダム符号と前記応答光との相関処理により、温度分布計測情報乃至歪分布計測情報を出力する解析手段と
を備えたインタロゲータを用いた温度及び歪分布計測システムであって、
前記ＦＢＧセンサは、
全長に亘って一定ピッチのFBGが連続的、もしくは、所要の距離分解能を得るに十分な間隔で断続的に形成されたロングゲージFBGファイバとし、
前記ダミーファイバの長さLdは、前記ロングゲージFBGファイバの長さLの2倍以上の長さに設定され、
前記ＦＢＧセンサに沿った温度及び歪分布を計測するように構成されたことを特徴としている。
請求項２の発明は、
前記ロングゲージFBGファイバは、
温度及び歪分布を計測すべき被測定物体の外部もしくは内部に沿って往路と復路に折り返して配置され、
往路もしくは復路の何れか一方は前記被測定物体に固定され、
他方は、前記一方と温度条件が等しく、かつ被測定物体の歪の影響を受けない状態で配置され、
前記インタロゲータの反射波形解析により、前記ロングゲージFBGファイバ上の温度分布と歪分布を同時に分離計測するように構成している。
請求項３の発明は、
前記インタロゲータのファイバ接続端子に２分岐カプラを設け、
前記２分岐カプラの一方の分岐端に長さLなる第１のロングゲージFBGファイバを接続し、
一方の分岐端には長さL以上の第２のダミーファイバを介して長さLなる第２のロングゲージFBGファイバを接続し、
前記ダミーファイバの全長は、前記第２のダミーファイバと前記第２のロングゲージFBGファイバの合計の長さの２倍以上とし、
第１もしくは第２のロングゲージFBGファイバの何れか一方を前記被測定物体に固定し、
他方のロングゲージFBGファイバを、前記一方のロングゲージFBGファイバと温度条件が等しく、かつ被測定物体の歪の影響を受けない状態で配置し、
前記インタロゲータの反射波形解析により、第１と第２の両ロングゲージFBGファイバ上の温度分布と歪分布を同時に分離計測するように構成した。
請求項４では、
前記解析手段は、
前記擬似ランダム符号と前記応答光との相関処理により、固定されていない側の前記ロングゲージFBGファイバ上の温度分布計測情報と、固定されている側の前記ロングゲージFBGファイバ上の歪分布計測情報とを同時に分離して出力し、
前記固定されていない部分のロングゲージFBGファイバの応答光から得られる温度分布計測情報に基づいて、前記固定されている部分のロングゲージFBGファイバの応答光から得られる温度分布と歪分布とが複合した計測情報を補正することによって、温度分布による影響を排除した歪分布計測情報を出力するように構成した。
【発明の効果】
【０００７】
本発明の請求項１では、
全長に亘って一定ピッチのFBGが連続的、もしくは、所要の距離分解能を得るに十分な間隔で断続的に形成されたロングゲージFBGファイバを用い、
前記ダミーファイバの長さLdは、前記ロングゲージFBGファイバの長さLの2倍以上の長さに設定したことによって、
前記ＦＢＧセンサに沿った温度及び歪分布を計測することができる。
請求項２では、
前記ロングゲージFBGファイバは、
温度及び歪分布を計測すべき被測定物体の外部もしくは内部に沿って往路と復路に折り返して配置され、
往路もしくは復路の何れか一方は前記被測定物体に固定され、
他方は、前記一方と温度条件が等しく、かつ被測定物体の歪の影響を受けない状態で配置されているので、
前記インタロゲータの反射波形解析により、前記ロングゲージFBGファイバ上の温度分布と歪分布を同時に分離計測することができる。
請求項３では、
前記インタロゲータのファイバ接続端子に２分岐カプラを設け、
前記２分岐カプラの一方の分岐端に長さLなる第１のロングゲージFBGファイバを接続し、
一方の分岐端には長さL以上の第２のダミーファイバを介して長さLなる第２のロングゲージFBGファイバを接続し、
前記ダミーファイバの全長は、前記第２のダミーファイバと前記第２のロングゲージFBGファイバの合計の長さの２倍以上とし、
第１もしくは第２のロングゲージFBGファイバの何れか一方を前記被測定物体に固定し、
他方のロングゲージFBGファイバを、前記一方のロングゲージFBGファイバと温度条件が等しく、かつ被測定物体の歪の影響を受けない状態で配置し、
前記インタロゲータの反射波形解析により、第１と第２の両ロングゲージFBGファイバ上の温度分布と歪分布を同時に分離計測するように構成しているので、
前記インタロゲータの反射波形解析により、第１と第２の両ロングゲージFBGファイバ上の温度分布と歪分布を同時に分離計測することができる。
請求項４では、
前記解析手段は、
前記擬似ランダム符号と前記応答光との相関処理により、固定されていない側の前記ロングゲージFBGファイバ上の温度分布計測情報と、固定されている側の前記ロングゲージFBGファイバ上の歪分布計測情報とを同時に分離して出力し、
前記固定されていない部分のロングゲージFBGファイバの応答光から得られる温度分布計測情報に基づいて、前記固定されている部分のロングゲージFBGファイバの応答光から得られる温度分布と歪分布とが複合した計測情報を補正することによって、温度分布による影響を排除した歪分布計測情報を出力するように構成したので、
温度分布計測情報と、温度分布による影響を排除した歪分布計測情報とを同時に分離して出力することができる。
【図面の簡単な説明】
【０００８】
【図１】本発明に係る温度及び歪分布計測システムの実施例１のブロック図である。
【図２】実施例１におけるダミーファイバとロングゲージFBGファイバとの長さの関係を説明する図である。
【図３】実施例１における計測アルゴリズムを示した図である。
【図４】実施例２のブロック図である。
【図５】実施例２におけるダミーファイバとロングゲージFBGファイバとの長さの関係を説明する図である。
【図６】実施例３のブロック図である。
【図７】実施例３におけるダミーファイバとロングゲージFBGファイバとの長さの関係を説明する図である。
【図８】本発明の特徴を説明する図である。
【図９】シミュレーションの設定条件を示す図である。
【図１０】シミュレーションの設定条件を示す図である。
【図１１】シミュレーションの設定条件を示す図である。
【図１２】シミュレーションの設定条件を示す図である。
【図１３】シミュレーションによる反射波形のイメージを示す図である。
【図１４】シミュレーションの結果を示す図である。
【図１５】シミュレーションの結果を示す図である。
【図１６】シミュレーションの結果を示す図である。
【図１７】シミュレーションの結果を示す図である。
【発明を実施するための形態】
【０００９】
以下に、本発明を実施するための形態を、図面を参照して説明する。
【実施例１】
【００１０】
図１は、請求項３に対応した実施例１に係る温度及び歪分布計測システムのブロック図であり、
１０は温度及び歪分布計測システムであり、
全長に亘って一定ピッチのFBGが連続的、もしくは、所要の距離分解能を得るに十分な間隔で断続的に形成されたロングゲージFBGファイバ１１と、
ブラッグ波長シフト解析用の傾斜フィルタ１２と透過光及び反射光の時間的分離用のダミーファイバ１３を備えたインタロゲータ１４と、
より構成されている。
【００１１】
前記ロングゲージFBGファイバ１１は、
温度及び歪分布を計測すべき被測定物体の外部もしくは内部に沿って、長さLの往路１１１と、長さLの復路１１２に折り返して配置され、
往路１１１は前記被測定物体に固定され、
復路１１２は、前記往路と温度条件が等しく、かつ被測定物体の歪の影響を受けない状態（固定されない状態）で配置されている。
前記ダミーファイバ１３の長さLdは、前記ロングゲージFBGファイバの全長さ２Lの2倍以上の長さ（４Ｌ以上）に設定されている。
なお、往路を固定せずに、復路を固定しても良い。
【００１２】
前記インタロゲータ１４は、
擬似ランダム符号を発生する発生手段１５と、
擬似ランダム符号変調された連続光を、ロングゲージFBGファイバ１１に出射する出射手段１６と、
ロングゲージFBGファイバ１１から入射する応答光を、透過波形と反射波形とに分離する傾斜フィルタ１２とダミーファイバ１３とからなる光分離手段１７と、
光分離手段１７にて分離した透過波形と反射波形を電気信号に変換する変換手段１８と、
前記擬似ランダム符号と前記応答光との相関処理により、固定されていない側の前記ロングゲージFBGファイバ上の温度分布計測情報と、固定されている側の前記ロングゲージFBGファイバ上の歪分布計測情報とを同時に分離して出力する解析手段１９と
を備えている。
前記インタロゲータ１４内のダミーファイバ１３上を反射光は片道しか通らないため、透過と反射の距離差は半分のLd/2に見える。したがって、ダミーファイバ１３の長さはロングゲージFBGファイバ１１の２倍以上に設定する必要がある。(以下同様）
なお、前記インタロゲータは、以下、DT3Rインタロゲータと称する。DT3Rは、Delayed Transmission/Reflection Ratiometric Reflectometryの頭文字に基づいた造語であり、前記インタロゲータを用いた計測方式を、時間差透過/反射比計測方式(DT3R)と称している。
【００１３】
前記DT3Rインタロゲータ１４は、
前記ロングゲージFBGファイバ１１から入射する応答光を解析することにより、前記ロングゲージFBGファイバ上の温度分布（図１の（E）に例示。）と歪分布（図１の（D）に例示。）を同時に分離計測するように構成されている。
【００１４】
前記出射手段16は、たとえばSLD（SuperLuminescent Diode）で構成されており、その出射光の波長の範囲は、図１の（Ａ）に例示したように、十分広い波長範囲に設定されている。
前記光分離手段１７の傾斜フィルタ12は、図１の（B）に例示したように、透過光と反射光に対して傾斜特性を備えている。
図１の（C）に例示したように、前記傾斜フィルタ12の傾斜特性の波長範囲にブラッグ波長が含まれるように設定されており、その傾斜特性によって、歪み分布や温度分布によるブラッグ波長のシフト量が解析されるように構成されている。
図１の（Ｄ）は、前記温度及び歪分布計測システム10によって得られた、長さＬの測定領域における歪分布測定結果の一例であり、図１の（Ｅ）は、前記温度及び歪分布計測システム10によって得られた温度分布測定結果の一例である。
【００１５】
前記光分離手段１７に含まれるダミーファイバ１３の全長Ｌｄは、前述したように、前記ロングゲージFBGファイバ１１の全長２Ｌの２倍以上の長さに設定されている必要がある。
図２に示したように、相関応答波形は、透過波形（歪＋温度）（ｔS+T）、透過波形（温度）（ｔ*T）、反射波形（歪＋温度）（ｒS+T）、反射波形（温度）（ｒ*T）の順で戻ってくる。
ダミーファイバ１３の全長ＬｄがロングゲージFBGファイバ１１の全長２Ｌの２倍未満の場合は、図２の（Ａ）に示したように、透過光の一部と反射光の一部とが重複する領域Ｄが生じるので、分離できなくなる。
ダミーファイバ１３の全長ＬｄがロングゲージFBGファイバ１１の全長２Ｌの２倍と等しいときには、図２の（Ｂ）に示したように、透過光の一部と反射光の一部とが重複する領域は無いので分離できる。
ダミーファイバ１３の全長ＬｄがロングゲージFBGファイバ１１の全長２Ｌの２倍より長いときには、図２の（Ｃ）に示したように、透過光と反射光とを余裕をもって分離できる。したがって、ダミーファイバ１３の全長ＬｄはロングゲージFBGファイバ１１の全長２Ｌの２倍以上（Ｌｄ≧４Ｌ）とする必要がある。
このように、相関応答波形上、ダミーファイバの長さLdは、透過光と反射光とを確実に分離するための、透過波形と反射波形間の距離を稼ぐ格好になる。
【００１６】
ロングゲージFBGファイバ１１の往路１１１は、被測定物に固定されているので、被測定物の歪と温度によるブラッグ波長のシフトを生じ、復路１１２は、被測定物に固定されていないので、被測定物の歪の影響は受けずに、温度によるブラッグ波長のシフトを生じる。
したがって、往路１１１によって計測された温度分布と歪分布の両方による相関応答波形を、復路によって計測された温度分布のみによる相関応答によって補正することによって、被測定物の測定領域の歪分布だけに対応した相関応答波形を得ることができる。
このように、前記解析手段１９は、温度分布による影響を排除した歪分布計測情報を出力することができる。
【００１７】
図３に、本発明における計測アルゴリズムを示した。
ロングゲージFBGファイバの全長のうち、DT3Rインタロゲータに近い方の往路が固定され、遠い方の復路が固定されていないので、図２に示したように、相関応答波形は、透過波形 ｔS+T（歪＋温度）、透過波形t*T（温度）、反射波形ｒS+T（歪＋温度）、反射波形r*T（温度）の順で戻ってくる。
ここで＊がついている透過波形t*T（温度）、反射波形r*T（温度）は、測定対象物上でDT3Rインタロゲータから遠い方から近い方にFBGが張られているため距離軸が反転している。
ロングゲージFBGファイバが固定された被測定物体の歪量に応じて図３の（１）式のように、ζS+Tが求まる。ただし、ζS+T には温度依存性が含まれている。
ロングゲージFBGファイバの周囲の温度に応じて図３の（２）式のように、ζ*T が求まる。ただし、温度分布は上述の通り距離軸が反転しているため、図３の（３）式のように反転する必要がある。
そして、温度依存性をキャンセルするためには図３の（４）式のように、温度に応じたζTをζS+Tから引けばよい。
【００１８】
固定されていない部分のロングゲージFBGファイバ、図１の場合は復路１１２は、インタロゲータからみて遠い方から近い方にむけて逆向きに設置される。
固定されていない側のロングゲージFBGファイバ（復路１１２）は、固定されている側のロングゲージFBGファイバ（往路１１１）とは逆向きに設置されているため、透過波形t*T（温度）と反射波形r*T（温度）は距離軸に対して反転して演算処理する必要がある。
【実施例２】
【００１９】
図４は、請求項１に対応した実施例２の構成を示したブロック図である。
実施例２の温度及び歪分布計測システム２０では、ロングゲージFBGファイバ２１は折り返していないので、図５に示したように、透過波形ｔと反射波形ｒとが得られる。
前記温度及び歪分布計測システム２０は、
全長に亘って一定ピッチのFBGが連続的、もしくは、所要の距離分解能を得るに十分な間隔で断続的に形成されたロングゲージFBGファイバ２１と、
ブラッグ波長シフト解析用の傾斜フィルタ２２の透過光及び反射光の時間的分離用のダミーファイバ２３の長さLdを、前記ロングゲージFBGファイバ２１の長さLの2倍以上の長さに設定したDT3Rインタロゲータ２４と、
より構成されている。
【００２０】
前記DT3Rインタロゲータ２４は、
擬似ランダム符号を発生する発生手段２５と、
擬似ランダム符号変調された連続光を、ロングゲージFBGファイバ２１に出射する出射手段２６と、
ロングゲージFBGファイバ２１から入射する応答光を、透過波形と反射波形とに分離する傾斜フィルタ２２とダミーファイバ２３とからなる光分離手段２７と、
光分離手段２７にて分離した透過波形と反射波形を電気信号に変換する変換手段２８と、
前記擬似ランダム符号と前記応答光との相関処理により、前記ロングゲージFBGファイバ上２１の温度もしくは歪分布計測情報を出力する解析手段２９と
を備えている。
前記解析手段２９は、前記ロングゲージFBGファイバ２１上での温度のバラツキが無い場合もしくはバラツキが少ない場合には、歪分布計測情報を得ることができ、前記ロングゲージFBGファイバ２１上での長手方向の歪のバラツキが無い場合もしくはバラツキが少ない場合には、温度分布計測情報を得ることができる。
【００２１】
前記出射手段２６は、前述したように、たとえばSLDで構成されており、その出射光の波長の範囲は十分広い波長範囲に設定されている。
前記光分離手段２７の傾斜フィルタ２２は、図１の（B）に例示したように、透過光と反射光に対して傾斜特性を備えている。
また、図１の（C）に例示したように、前記傾斜フィルタ12の傾斜特性の波長範囲にブラッグ波長が含まれるように設定されており、その傾斜特性によって、歪み分布や温度分布によるブラッグ波長のシフト量が解析されるように構成されている。
【００２２】
前記ダミーファイバ２３の全長ＬｄがロングゲージFBGファイバ２１の全長Ｌの２倍未満の場合は、図５の（Ａ）に示したように、透過光の一部と反射光の一部とが重複する領域Ｄが生じるので、分離できなくなる。
ダミーファイバ２３の全長ＬｄがロングゲージFBGファイバ２１の全長Ｌの２倍と等しいときには、図５の（Ｂ）に示したように、透過光の一部と反射光の一部とが重複する領域は無いので分離できる。
ダミーファイバ２３の全長ＬｄがロングゲージFBGファイバ２１の全長Ｌの２倍より長いときには、図５の（Ｃ）に示したように、透過光と反射光とを余裕をもって分離できる。したがって、ダミーファイバ２３の全長ＬｄはロングゲージFBGファイバ２１の全長Ｌの２倍以上（Ｌｄ≧２Ｌ）とする必要がある。
このように、相関応答波形上、ダミーファイバの長さLdは、透過光と反射光とを確実に分離するための、透過波形と反射波形間の距離を稼ぐ格好になる。
この実施例２は、ロングゲージFBGファイバ２１の長手方向に沿った温度分布のバラツキを排除するための温度補償等を考慮しない方式であり、純粋にロングゲージFBGファイバの長手方向に沿った歪の分布を計測する方式である。
【実施例３】
【００２３】
図６は、請求項４に対応した実施例３の構成を示したブロック図である。
実施例３の温度及び歪分布計測システム３０は、分岐した２本のロングゲージFBGファイバ３１１、３１２を備え、一方のロングゲージFBGファイバ３１２は第２のダミーファイバ３１３を介して、DT3Rインタロゲータ３４に接続されている。
図６に示したように、
前記温度及び歪分布計測システム３０は、
前記インタロゲータ３４のファイバ接続端子に２分岐カプラ３１４を設け、
前記２分岐カプラ３１４の一方の分岐端に長さLなる第１のロングゲージFBGファイバ３１１を接続し、
一方の分岐端には長さL以上の第２のダミーファイバ３１３を介して長さLなる第２のロングゲージFBGファイバ３１２を接続し、
第１もしくは第２のロングゲージFBGファイバの何れか一方（たとえば第１のロングゲージFBGファイバ３１１）を測定対象の被測定物体に固定し、
他方のロングゲージFBGファイバ（第２のロングゲージFBGファイバ３１２）を、前記一方のロングゲージFBGファイバと温度条件が等しく、かつ被測定物体の歪の影響を受けない状態で配置したものである。
前記インタロゲータ３４の反射波形解析により、第１と第２の両ロングゲージFBGファイバ上の温度分布と歪分布を同時に分離計測するように構成されている。
なお、第１のロングゲージFBGファイバを固定せずに、第２のロングゲージFBGファイバを固定しても良い。
【００２４】
前記DT3Rインタロゲータ３４は、
擬似ランダム符号を発生する発生手段３５と、
擬似ランダム符号変調された連続光を、前記分岐カプラ３１４を介しロングゲージFBGファイバ３１に出射する出射手段３６と、
ロングゲージFBGファイバ３１から前記分岐カプラ３１４を介して入射する応答光を、透過波形と反射波形とに分離する傾斜フィルタ３２とダミーファイバ３３とからなる光分離手段３７と、
光分離手段３７にて分離した透過波形と反射波形を電気信号に変換する変換手段３８と、
前記擬似ランダム符号と前記応答光との相関処理により、温度分布計測情報と歪分布計測情報とを同時に分離して出力する解析手段３９と
を備えている。
【００２５】
前記DT3Rインタロゲータ３４は、
前記ロングゲージFBGファイバ３１から入射する応答光を解析することにより、前記ロングゲージFBGファイバ上の温度分布（図１の（E）に例示。）と歪分布（図１の（D）に例示。）を同時に分離計測するように構成されている。
【００２６】
前記出射手段３６は、前述したように、たとえばSLDで構成されており、その出射光の波長の範囲は十分広い波長範囲に設定されている。
前記光分離手段３７の傾斜フィルタ３２は、図１の（B）に例示したように、透過光と反射光に対して傾斜特性を備えている。
また、図１の（C）に例示したように、前記傾斜フィルタ３２の傾斜特性の波長範囲にブラッグ波長が含まれるように設定されており、その傾斜特性によって、歪み分布や温度分布によるブラッグ波長のシフト量が解析されるように構成されている。
【００２７】
前記ダミーファイバ３３の全長は、前記第２のダミーファイバ３１３と前記第２のロングゲージFBGファイバ３１２の合計の長さの２倍以上とした。
前記解析手段３９は、
前記固定されていない側（第２）のロングゲージFBGファイバ３１２の応答光から得られる温度分布計測情報に基づいて、前記固定されている側（第１）のロングゲージFBGファイバ３１１の応答光から得られる温度分布と歪分布とが複合した計測情報を補正することによって、温度分布による影響を排除した歪分布計測情報を出力するように構成されている。
【００２８】
固定された側の第１のロングゲージFBGファイバ３１１は被測定物に貼り付け固定されているので、被測定物体の歪の分布と温度の分布に応じた影響を受け、固定されていない側の第２のロングゲージFBGファイバ３１２は被計測物に固定されていないので、被測定物体の歪の影響は受けずに、温度分布に応じた影響を受ける。
【００２９】
この場合、長さＬの第２のダミーファイバ３１３を備えているので、相関応答波形は、図７に示したように、透過波形ｔS+T（歪＋温度）、透過波形ｔT（温度）、反射波形ｒS+T（歪＋温度）、反射波形ｒT（温度）の順で戻ってくる。
第１のダミーファイバ３３の全長Ｌｄが、第２のダミーファイバ３１３と前記第２のロングゲージFBGファイバ３１２の合計の全長２Ｌの２倍未満（Ｌｄ＜４Ｌ）の場合は、図７の（Ａ）に示したように、透過光の一部と反射光の一部とが重複する領域Ｄが生じるので、分離できなくなる。
ダミーファイバ３３の全長Ｌｄが、第２のダミーファイバ３１３と前記第２のロングゲージFBGファイバ３１２の合計の全長２Ｌの２倍と等しい（Ｌｄ＝４Ｌ）ときには、図７の（Ｂ）に示したように、透過光の一部と反射光の一部とが重複する領域は無いので分離できる。
【００３０】
ダミーファイバ１３の全長Ｌｄが、第２のダミーファイバ３１３と前記第２のロングゲージFBGファイバ３１２の合計の全長２Ｌの２倍より長い（Ｌｄ＞４Ｌ）ときには、図７の（Ｃ）に示したように、透過光と反射光とを余裕をもって分離できる。したがって、ダミーファイバ１３の全長Ｌｄは、第２のダミーファイバ３１３と前記第２のロングゲージFBGファイバ３１２の合計の全長２Ｌの２倍以上（Ｌｄ≧４Ｌ）とする必要がある。
このように、相関応答波形上、ダミーファイバの長さLdは、透過光と反射光とを確実に分離するための、透過波形と反射波形間の距離を稼ぐ格好になる。
【００３１】
本発明に係る温度及び歪分布計測システムは、歪と温度の両分布を同時に計測可能な方式であり、歪の分布を、温度の分布の影響を排除したかたちで得ることができる。
図８に示したように、異なる距離さを付与した複数のＦＢＧセンサＦＢＧ１，ＦＢＧ２，・・・ＦＢＧｎとの併用が可能である。
図２に示した温度及び歪分布計測システム４０は、実施例１、２、３と同様の構成のDT3Rインタロゲータ４４に、実施例１のロングゲージFBGファイバ１１と同様に、往路４１１と復路４１２とに折り返したロングゲージFBGファイバ４１を備え、さらに、前記複数のＦＢＧセンサＦＢＧｎを備えたシステムである。
【００３２】
前記複数のＦＢＧセンサＦＢＧｎは、最初のＦＢＧセンサＦＢＧ１と前記DT3Rインタロゲータ４４との間には前記ロングゲージFBGファイバ４１の往復の全長４Ｌより長いダミーファイバ４３１を介在させ、ＦＢＧセンサＦＢＧ１と次のＦＢＧセンサＦＢＧ２の間には分離可能な長さのダミーファイバ４３２を備え、同様に順次構成したものである。
【００３３】
本発明に係る温度及び歪分布計測システムは、疑似ランダム符号を用いたDT3Rインタロゲータにより、リアルタイム応答が可能であり、簡単な構成で小型軽量かつローコストな計測システムの構築が可能となる。
【００３４】
DT3RインタロゲータとロングゲージFBGファイバを用いた温度及び歪分布計測システムによる歪および温度分布計測の可能性を考察し、シミュレーションにより検証した。
シミュレーションにより次の結論が確認された。
１） インタロゲータ光入力回路における傾斜フィルタの透過/反射光分離用ダミーファイバ長をFBGファイバ長より長くすることにより、Bragg波長の距離分布計測可能。
２） FBGファイバを折り返し、往路を対象物に全長固定、復路を非固定とし（あるいはその逆）、往復路で温度条件が同一と見做せる場合、前項のスキームと信号処理により、FBGファイバ上の歪と温度を分離して同時に検出することができる。
３） 1GHz以上のチップ速度を用いれば、距離分解能10cm以下を得ることが可能となる。
【００３５】
図９に、シミュレーションの条件を示した。なお、シミュレーションは図１の構成で行った。
歪量または歪による波長シフトの距離分布を図１０に示した特定に設定。
１μstrain で波長シフト 1ｐｍ が生じる設定とした。
温度による波長シフトの距離分布を図１１に示したグラフの通り設定。
【００３６】
ロングゲージFBGファイバを全長１０ｍと設定し、その全長に渡ってどれだけ減衰するかを考慮してシミュレーションをする。
無損失はロングFBGの至る所で反射が起っても透過光量のロスが０とした場合である。
実際には、ありえない条件であるが、ロングゲージFBGファイバのロスを補償して無損失状態と一致するかを検証するために設定した。
図１２のグラフは、先の歪分布と温度分布を合成し、距離に対する反射応答の格好を定義したものである。
【００３７】
図１３には、反射点までの距離ごとの反射波形のイメージを示す。
本来は連続的に反射が起こるが、透過波形ｔS+T（歪＋温度）、透過波形ｔ*T（温度）、反射波形ｒS+T（歪＋温度）、反射波形r*T（温度）のそれぞれの波形から、境界条件となる部分の波形のみ取り出した。
図の波形では振幅は一定として表示した。
【００３８】
図１４には、反射波形を積算して得られた受光波形のグラフを示した。
解析手段によって相関処理をすると応答波形は図１５に示したようになる。
シミュレーションによる図１５のグラフは、図１２に示した設定イベントとよく一致していることが確認できる。
【００３９】
距離毎に反射・透過比を求めたものが図１６に示したグラフである。
透過光損失の影響はこの時点で補償されているが、温度の影響はまだ補正してないので、図１０に示した設定値との開きがある。
【００４０】
図１７は、温度補正を行ったものであり、図１０に示した設定値とよく一致していることが確認できる。
以上のシミュレーションの結果、本発明の温度及び歪分布計測システムによれば、ロングゲージFBGファイバにより歪分布と温度分布を同時に計測可能であり、温度による影響を排除した歪分布を計測することも可能であることが確認できた。
【符号の説明】
【００４１】
１０  温度及び歪分布計測システム
１１  ロングゲージFBGファイバ
１１１  往路
１１２  復路
１２  傾斜フィルタ
１３  ダミーファイバ
１４  DT3Rインタロゲータ
１５  発生手段
１６  出射手段
１７  光分離手段
１８  変換手段
１９  解析手段
【図１】
2013072701.tif 000003
【図２】
2013072701.tif 000004
【図３】
2013072701.tif 000005
【図４】
2013072701.tif 000006
【図５】
2013072701.tif 000007
【図６】
2013072701.tif 000008
【図７】
2013072701.tif 000009
【図８】
2013072701.tif 000010
【図９】
2013072701.tif 000011
【図１０】
2013072701.tif 000012
【図１１】
2013072701.tif 000013
【図１２】
2013072701.tif 000014
【図１３】
2013072701.tif 000015
【図１４】
2013072701.tif 000016
【図１５】
2013072701.tif 000017
【図１６】
2013072701.tif 000018
【図１７】
2013072701.tif 000019